(57)【要約】【課題】既存の靴の装飾性を向上させるとともに着脱性をも向上させることが可能な靴用アクセサリおよびこれを用いた装飾靴の提供。【解決手段】靴１０の踵部分の上方に備える環状片１２に取り付けて使用する靴用アクセサリであって、環状片１２の環１３に着脱可能なリング１と、このリング１に掛けたアタッチメント２とを備える。リング１を既存の靴１０の踵部分の上方に備わる環状片１２に取り付けることで、このリング１に掛けたアタッチメント２により靴１０の装飾性が向上するとともに、靴１０の着脱時には、リング１に指を掛けることにより、靴１０の踵部分を踵の上方に引き上げ、または踵の下方に引き下げることができ、着脱性が向上する。【選択図】  図２
2005046378.tif 000002
【特許請求の範囲】
【請求項１】
靴の踵部分の上方に備える環状片に取り付けて使用する靴用アクセサリであって、
前記環状片の環に着脱可能な環状部材と、
この環状部材に掛けた装飾部材と
を備えた靴用アクセサリ。
【請求項２】
前記装飾部材は、蓄光性、蛍光性、光反射性または発光性を有するものである請求項１記載の靴用アクセサリ。
【請求項３】
踵部分の上方に環状片を備え、
さらに、この環状片の環に掛けた環状部材と、
この環状部材に着脱可能な装飾部材と
を備えた装飾靴。
【発明の詳細な説明】
【技術分野】
【０００１】
本発明は、靴に装飾を施すための靴用アクセサリおよびこれを用いた装飾靴に関する。
【背景技術】
【０００２】
靴、特に子供靴には、外皮部分に人気キャラクタ、動物や花等の模様（装飾）を付したものが多い。ところが、これらの模様は、靴の外皮部分に直接印刷や刺しゅうにより施されているため、子供に飽きられやすいという問題がある。
【０００３】
この問題を解決するものとして、例えば特許文献１には、足の甲を覆う外皮部分をマジックテープ（商標）等の係着性を有するシート材で形成することにより、別途用意されたマジックテープ等の係着手段を有するワッペン、パッチ、エンブレム等の装飾片を自在に貼り付けることを可能にした靴が提案されている。
【０００４】
ところで、子供靴や運動靴には、靴の踵部分の上方に環状片を備えたものが多い（例えば、特許文献１，２参照。）。この環状片は、主に靴の着用を補助するためのものである。着用者は、靴の中に足先を入れ、この環状片を摘んで踵の上方に引き上げることにより、足の踵部分を靴の中に収容することが容易となる。
【０００５】
【特許文献１】特開２００１−３５３００８号公報（図１、図３）
【特許文献２】登録実用新案第３０７９９２３号公報（図２）
【発明の開示】
【発明が解決しようとする課題】
【０００６】
特許文献１に記載の靴では、装飾片を取り付けるためにマジックテープ等の係着性を有するシート材を予め靴に備えておく必要がある。そのため、靴に装飾を施すために特許文献１に記載のような専用の靴を準備する必要があり、既存の靴を使用して装飾を施すことができない。また、マジックテープ等を外皮部分に形成することになるため、靴自体のコストが増大してしまう。
【０００７】
また、特許文献１に記載の靴は、装飾性を向上させることのみを目的とするものであり、靴の着用性を向上させるものではない。一方、上記のように、踵部分の上方に環状片を備えた靴は、この環状片を摘んで踵の上方に引き上げることで着用性を向上させるものであるが、この環状片は非常に小さなものであるため、子供がこの環状片を摘んで自分で靴を履くことは難しい。
【０００８】
そこで、本発明においては、既存の靴の装飾性を向上させるとともに着脱性をも向上させることが可能な靴用アクセサリおよびこれを用いた装飾靴を提供することを目的とする。
【課題を解決するための手段】
【０００９】
本発明の靴用アクセサリは、靴の踵部分の上方に備える環状片に取り付けて使用する靴用アクセサリであって、環状片の環に着脱可能な環状部材と、この環状部材に掛けた装飾部材とを備えたものである。
【００１０】
本発明の靴用アクセサリでは、環状部材を既存の靴の踵部分の上方に備わる環状片に取り付けることで、この環状部材に掛けた装飾部材により靴の装飾性が向上する。また、靴の着脱時には、環状部材に指を掛けることにより、靴の踵部分を踵の上方に引き上げ、または踵の下方に引き下げることができる。
【００１１】
ここで、装飾部材は、蓄光性、蛍光性、光反射性または発光性を有するものであることが望ましい。上記のように靴の踵部分の上方の環状片に配置される装飾部材が、蓄光性、蛍光性、光反射性または発光性を有することにより、靴の後方からの視認性が向上する。
【発明の効果】
【００１２】
（１）環状片の環に着脱可能な環状部材と、この環状部材に掛けた装飾部材とを備えたことにより、既存の靴の踵部分の上方に備わる環状片に取り付けて靴の装飾性を向上させることができる。また、環状部材が環状片の環に着脱可能であるため、別の靴用アクセサリと取り替えることも容易である。さらに、靴の着脱時には、環状部材に指を掛けて踵の上方に引き上げ、または踵の下方に引き下げることができるため、着脱性が向上する。特に自分で靴を着脱することが困難な小さな子供であっても、自分で環状部材に指を掛けて靴を着脱することが可能となる。
【００１３】
（２）装飾部材が、蓄光性、蛍光性、光反射性または発光性を有するものであることにより、靴の後方からの視認性が向上し、靴を着用する人の安全確保に役立つ。
【発明を実施するための最良の形態】
【００１４】
図１は本発明の実施の形態における靴用アクセサリの平面図、図２は図１の靴用アクセサリを靴に取り付けた状態を示す斜視図である。
【００１５】
図１において、本発明の実施の形態における靴用アクセサリは、環状部材としてのリング１と、装飾部材としてのアタッチメント２とを備える。アタッチメント２は、装飾性を有する飾り物である。アタッチメント２は、光反射性材料３により装飾を施したものである。
【００１６】
アタッチメント２は、環状の取付具４を備える。アタッチメント２は、取付具３によってリング１に着脱可能に掛けられている。取付具４は、リング１の環に沿って自在に移動可能である。なお、図１の例では、アタッチメント２は１個であるが、複数個とすることも可能である。
【００１７】
リング１は、図２に示すように、既存の子供靴や運動靴等の靴１０の踵部分１１の上方に備わる環状片１２の環１３に着脱可能なものである。環状片１２は、一般に、帯状の布片により環を構成するように形成されたものである。リング１は、弾性を有する棒状の部材を、二度環状に回すことにより螺旋を形成したものである。このようなリング１では、その端部を環状片１２の環１３に挿入し、螺旋に沿って通していくことにより、環１３に掛けて取り付けることが可能である。
【００１８】
あるいは、リング１は、カラビナのように環状の一部を開閉可能に形成したものとすることもできる。この場合、リング１の一部を開いて環状片１２の環１３に掛け、このリングの一部の開いた部分を閉じることにより取り付け、または取り外しすることが可能である。なお、リング１は強度的には金属製が好ましいが、軽量であるという点で樹脂製とするのが好ましい。
【００１９】
また、図示例では、リング１は真円状の環としているが、変形した環であってもよい。要するに、靴１０の環状片１２の環１３に通して着脱することが可能であって、かつアタッチメント２を取付具４によって取り付け可能であればよい。
【００２０】
上記構成の靴用アクセサリでは、リング１を既存の靴１０の踵部分１１の上方に備わる環状片１２の環１３に通して取り付けることで、リング１のアタッチメント２により靴１０の装飾性が向上する。また、リング１が環状片１２の環１３に着脱可能であるため、別の靴用アクセサリと取り替えることも容易である。あるいは、リング１から取付具４ごとアタッチメント２を取り外して、別のアタッチメントと取り替えることも可能である。
【００２１】
また、靴１０の着脱時には、この靴１０に取り付けたリング１に指を掛けることにより、靴１０の踵部分１１を踵の上方に引き上げ、または踵の下方に引き下げることができるため、その着脱性が向上する。したがって、特に、自分で靴１０を着脱することが困難な小さな子供であっても、自分でリング１に指を掛けることにより、靴１０を着脱することが可能である。
【００２２】
なお、リング１に指を掛けるためには、リング１の内径は１０ｍｍ以上、より好ましくは１５ｍｍであることが望ましい。１０ｍｍ以上であれば、小さな子供であってもアタッチメント２が取り付けられたリング１に指を掛けて引き上げることが可能である。１５ｍｍ以上であれば、リング１にアタッチメント２が取り付けられていても、小さな子供から大人までリング１に指を掛けて引き上げることが可能である。１０ｍｍ未満では、アタッチメント２の取り付け状態によっては指を掛ける際に邪魔になることがある。
【００２３】
また、本実施形態においては、アタッチメント２の一部に光反射性材料３により装飾を施しているため、このアタッチメント２が取り付けられる靴１０の方向からの視認性が向上している。そのため、靴１０を着用している人の安全確保に役立ち、特に動きの予測が難しい小さな子供が着用するのに好適である。
【００２４】
なお、アタッチメント２の装飾は、光反射性材料３に代えて、蓄光性、蛍光性あるいは発光性を有する材料により形成することも可能である。この場合も同様に、アタッチメント２が取り付けられる靴１０の方向からの視認性が向上し、靴１０を着用している人の安全確保に役立つ。
【産業上の利用可能性】
【００２５】
本発明の靴用アクセサリは、靴に装飾を施すとともに靴の着脱性を向上させるアクセサリとして有用であり、特に子供靴に用いるアクセサリとして好適である。
【図面の簡単な説明】
【００２６】
【図１】本発明の実施の形態における靴用アクセサリの平面図である。
【図２】図１の靴用アクセサリを靴に取り付けた状態を示す斜視図である。
【符号の説明】
【００２７】
１  リング
２  アタッチメント
３  光反射性材料
４  取付具
１０  靴
１１  踵部分
１２  環状片
１３  環
【図１】
2005046378.tif 000003
【図２】
2005046378.tif 000004